【手続補正書】
【提出日】平成26年2月20日(2014.2.20)
【手続補正１】
【補正対象書類名】特許請求の範囲
【補正対象項目名】全文
【補正方法】変更
【補正の内容】
【特許請求の範囲】
【請求項１】
（ａ）印字素子を備えた印字ヘッドと、
（ｂ）前記印字素子を駆動して印字を行う駆動部と、
（ｃ）前記印字ヘッドの内部温度を検出するための温度検出部と、
（ｄ）印字モードに対応させて、印字ヘッドの内部温度を制御するために、第１の閾値及び該第１の閾値より低い第２の閾値のうちの一方の閾値を設定する閾値設定部と、
（ｅ）前記温度検出部によって検出された印字ヘッドの内部温度である検出温度が前記閾値設定部によって設定された閾値以上である場合に、印字ヘッドの内部温度を低くするための印字条件を設定する印字条件設定部とを有することを特徴とするプリンタ。
【請求項２】
（ａ）前記印字モードは、印字速度を優先して印字を行う第１の印字モード、及び印字品質を優先して印字を行う第２の印字モードであり、
（ｂ）前記閾値設定部は、第１の印字モードが設定されたときに第１の閾値を、第２の印字モードが設定されたときに第２の閾値を設定する請求項１に記載のプリンタ。
【請求項３】
前記印字素子は、駆動素子に駆動電流を供給することによって駆動される請求項１又は２に記載のプリンタ。
【請求項４】
前記駆動素子はコイルである請求項３に記載のプリンタ。
【請求項５】
前記検出温度と対応させて、前記コイルに電圧を印加する電圧印加時間を設定する電圧印加時間設定部を有する請求項４に記載のプリンタ。
【請求項６】
前記電圧印加時間設定部は、検出温度が低いほど電圧印加時間を短く、検出温度が高いほど電圧印加時間を長く設定する請求項５に記載のプリンタ。
【請求項７】
上位装置から送られたコマンドに基づいて前記印字モードを設定する印字モード設定処理手段を有する請求項１〜６のいずれか１項に記載のプリンタ。
【請求項８】
操作者による、プリンタに配設された操作部の操作に基づいて前記印字モードを設定する印字モード設定処理手段を有する請求項１〜６のいずれか１項に記載のプリンタ。
【請求項９】
上位装置から送られた印字データのデータ量及び印字データのドット密度に基づいて前記印字モードを設定する印字モード設定処理手段を有する請求項１〜６のいずれか１項に記載のプリンタ。
【請求項１０】
（ａ）印字素子を備えた印字ヘッドと、
（ｂ）前記印字素子を駆動して印字を行う駆動部と、
（ｃ）前記印字ヘッドの内部温度を検出するための温度検出部と、
（ｄ）印字モードに対応させて、印字ヘッドの内部温度を制御するために、第１の閾値及び該第１の閾値より低い第２の閾値のうちの一方の閾値を設定する閾値設定部と、
（ｅ）前記温度検出部によって検出された印字ヘッドの内部温度である検出温度と対応させて、前記印字素子を駆動するための電圧を駆動素子に印加する電圧印加時間を設定する電圧印加時間設定部と、
（ｆ）前記検出温度が前記閾値設定部によって設定された閾値以上である場合に、印字ヘッドの内部温度を低くするための印字条件を設定する印字条件設定部とを有するとともに、
（ｇ）前記電圧印加時間設定部は、前記第１の閾値で印字ヘッドの内部温度を制御するときの各検出温度における電圧印加時間を、前記第２の閾値で印字ヘッドの内部温度を制御するときの各検出温度における電圧印加時間より短く設定することを特徴とするプリンタ。
【請求項１１】
前記電圧印加時間設定部は、各検出温度における電圧印加時間を、検出温度が閾値と等しいときのインパクト力が発生させられるように設定する請求項１０に記載のプリンタ。
【請求項１２】
前記駆動素子はコイルである請求項１０又は１１に記載のプリンタ。
【請求項１３】
印字素子を備えた印字ヘッド、及び前記印字素子を駆動して印字を行う駆動部を有するプリンタにおける印字ヘッドの駆動方法において、
（ａ）印字ヘッドの内部温度を検出し、
（ｂ）印字モードに対応させて、印字ヘッドの内部温度を制御するために、第１の閾値及び該第１の閾値より低い第２の閾値のうちの一方の閾値を設定し、
（ｃ）検出された印字ヘッドの内部温度である検出温度が設定された閾値以上である場合に、印字ヘッドの内部温度を低くするための印字条件を設定することを特徴とする印字ヘッドの駆動方法。
【請求項１４】
前記印字素子は、駆動素子に駆動電流を供給することによって駆動される請求項１３に記載の印字ヘッドの駆動方法。
【請求項１５】
前記駆動素子はコイルである請求項１４に記載の印字ヘッドの駆動方法。
【請求項１６】
印字素子を備えた印字ヘッド、及び前記印字素子を駆動して印字を行う駆動部を有するプリンタにおける印字ヘッドの駆動方法において、
（ａ）印字ヘッドの内部温度を検出し、
（ｂ）印字モードに対応させて、印字ヘッドの内部温度を制御するために、第１の閾値及び該第１の閾値より低い第２の閾値のうちの一方の閾値を設定し、
（ｃ）検出された印字ヘッドの内部温度である検出温度と対応させて、前記印字素子を駆動するための電圧を駆動素子に印加する電圧印加時間を設定し、
（ｄ）前記検出温度が前記設定された閾値以上である場合に、印字ヘッドの内部温度を低くするための印字条件を設定するとともに、
（ｅ）前記第１の閾値で印字ヘッドの内部温度を制御するときの各検出温度における電圧印加時間は、前記第２の閾値で印字ヘッドの内部温度を制御するときの各検出温度における電圧印加時間より短く設定されることを特徴とする印字ヘッドの駆動方法。
【請求項１７】
前記駆動素子はコイルである請求項１６に記載の印字ヘッドの駆動方法。
【手続補正２】
【補正対象書類名】明細書
【補正対象項目名】００１５
【補正方法】変更
【補正の内容】
【００１５】
そのために、本発明のプリンタにおいては、印字素子を備えた印字ヘッドと、前記印字素子を駆動して印字を行う駆動部と、前記印字ヘッドの内部温度を検出するための温度検出部と、印字モードに対応させて、印字ヘッドの内部温度を制御するために、第１の閾値及び該第１の閾値より低い第２の閾値のうちの一方の閾値を設定する閾値設定部と、前記温度検出部によって検出された印字ヘッドの内部温度である検出温度が前記閾値設定部によって設定された閾値以上である場合に、印字ヘッドの内部温度を低くするための印字条件を設定する印字条件設定部とを有する。
【手続補正３】
【補正対象書類名】明細書
【補正対象項目名】００１６
【補正方法】変更
【補正の内容】
【００１６】
本発明によれば、プリンタにおいては、印字素子を備えた印字ヘッドと、前記印字素子を駆動して印字を行う駆動部と、前記印字ヘッドの内部温度を検出するための温度検出部と、印字モードに対応させて、印字ヘッドの内部温度を制御するために、第１の閾値及び該第１の閾値より低い第２の閾値のうちの一方の閾値を設定する閾値設定部と、前記温度検出部によって検出された印字ヘッドの内部温度である検出温度が前記閾値設定部によって設定された閾値以上である場合に、印字ヘッドの内部温度を低くするための印字条件を設定する印字条件設定部とを有する。
【手続補正４】
【補正対象書類名】明細書
【補正対象項目名】００１９
【補正方法】変更
【補正の内容】
【００１９】
また、第１の閾値を設定すると、テキストデータ等のような通常の文字を形成するために作成された印字データに基づいて、例えば、連続紙等の帳票に対して高速の印字を行おうとする場合に、印字素子を駆動するための駆動素子、例えば、コイルを低い温度に維持する必要がなくなるので、コイルに電圧を印加する際の休止時間を短くすることができる。したがって、印字速度が低くならない。そして、印字データのデータ量が多かったり、ドット密度が高かったりする場合においても、プリンタのスループットが低くなることがない。